(57)【要約】エレベータ制御システムは、制御電源と、制御電源と通信する計算コアと、計算コアと通信する通信電源と、制御電源、計算コア、および通信電源と通信するスリープモニタとを備える。スリープモニタは、制御電源および計算コアを選択的に電源投入／遮断するように配置され、スリープモニタは、通信電源の作動状態を低電圧状態に選択的に変更するように配置される。
2014501213.tif 000002
【特許請求の範囲】
【請求項１】
制御電源と、
制御電源と通信する計算コアと、
計算コアと通信する通信電源と、
制御電源、計算コア、および通信電源と通信するスリープモニタと、
を備え、
スリープモニタは、制御電源および計算コアを選択的に電源投入／遮断するように配置され、スリープモニタは、通信電源の作動状態を低電圧状態に選択的に変更するように配置されることを特徴とするエレベータ制御システム。
【請求項２】
計算コアおよびスリープモニタと通信する複数の遠隔装置をさらに備えることを特徴とする請求項１記載のシステム。
【請求項３】
計算コアは、所定の長さの時間後、スリープモニタに複数の装置の各装置の状態をモニタするよう要求するように配置されることを特徴とする請求項２記載のシステム。
【請求項４】
スリープモニタは、要求に応答して、計算コアを電源遮断しかつ制御電源を電源遮断するように構成されることを特徴とする請求項３記載のシステム。
【請求項５】
エレベータかご制御部分をさらに備えることを特徴とする請求項１記載のシステム。
【請求項６】
エレベータかご制御部分は、計算コア、スリープモニタ、および通信電源と通信する通信装置を備えることを特徴とする請求項５記載のシステム。
【請求項７】
エレベータかご制御部分は、本質的な遠隔装置および本質的でない遠隔装置をさらに備えることを特徴とする請求項６記載のシステム。
【請求項８】
本質的な遠隔装置は、ドアスイッチであることを特徴とする請求項７記載のシステム。
【請求項９】
本質的でない装置は、警報モニタ装置であることを特徴とする請求項７記載のシステム。
【請求項１０】
計算コアは、所定の長さの時間後、スリープモニタに本質的な装置の状態をモニタするよう要求するように配置されることを特徴とする請求項７記載のシステム。
【請求項１１】
スリープモニタは、要求に応答して、計算コアを電源遮断しかつ制御電源を電源遮断するように構成されることを特徴とする請求項１０記載のシステム。
【請求項１２】
システムは、遠隔ステーションをさらに備えており、遠隔ステーションは、エレベータ要求装置を備えることを特徴とする請求項１記載のシステム。
【請求項１３】
計算コアは、エレベータ要求装置が非アクティブにある所定の長さの時間が経過した後の場合に、スリープモニタにエレベータ要求装置の状態をモニタするよう要求するように配置されることを特徴とする請求項１２記載のシステム。
【請求項１４】
スリープモニタは、要求に応答して、計算コアに電源投入しかつ制御電源に電源投入するように構成されることを特徴とする請求項１３記載のシステム。
【請求項１５】
システムは、計算コアおよびスリープモニタと通信する複数の本質的な装置をさらに備えており、本質的な装置は、ドアスイッチ装置およびドア要求装置を含むことを特徴とする請求項１記載のシステム。
【請求項１６】
計算コアは、所定の長さの時間後、スリープモニタに複数の本質的な装置の各装置の状態をモニタするよう要求するように配置されることを特徴とする請求項１５記載のシステム。
【請求項１７】
スリープモニタは、要求に応答して、計算コアを電源遮断し、制御電源を電源遮断し、かつ通信電源を低電圧状態に切り換えるように構成されることを特徴とする請求項１６記載のシステム。
【発明の詳細な説明】
【技術分野】
【０００１】
本願に開示の主題は一般に、分野のエレベータ制御システムに関し、より詳細には、エレベータのスタンバイ作動の制御に関する。
【背景技術】
【０００２】
一般にエレベータ制御システムは、エレベータ制御システムと通信する装置からのエレベータ駆動の要求を検出するためにアクティブのままである。例えば、従来のエレベータ制御システムでは、複数の遠隔ステーションが中央制御装置と通信する。各遠隔ステーションは、エレベータ要求ボタン（例えば、上／下エレベータアクセスボタン）を備えることができる。ボタンが選択されまたは押し下げられると、エレベータ制御システムは、エレベータに要求にサービスするように命令する。各遠隔ステーションとの通信を維持するために、エレベータ制御システムは、アクティブまたは電源投入状態のままになっていることができる。
【発明の概要】
【課題を解決するための手段】
【０００３】
本発明の一態様によれば、エレベータ制御システムは、制御電源と、制御電源と通信する計算コアと、計算コアと通信する通信電源と、制御電源、計算コア、および通信電源と通信するスリープモニタとを備える。スリープモニタは、制御電源および計算コアを選択的に電源投入／遮断するように配置され、スリープモニタは、通信電源の作動状態を低電圧状態に選択的に変更するように配置される。
【０００４】
本発明の他の態様、特徴および技術は、図面と共に考慮される以下の説明からより明らかとなるであろう。
【０００５】
ここで図面を参照するが、同様の構成要素は、いくつかの図面の中で同様に番号付けられている。
【図面の簡単な説明】
【０００６】
【図１】例示的な実施例によるエレベータ制御システムを示す図。
【図２】例示的な実施例によるエレベータ制御システムを示す図。
【図３】例示的な実施例によるエレベータ制御システムを示す図。
【図４】例示的な実施例によるエレベータ制御システムを示す図。
【図５】例示的な実施例によるエレベータ制御システムの制御方法を示す図。
【発明を実施するための形態】
【０００７】
エレベータ制御システムの実施例は、複数の遠隔ステーションとの通信を維持しながら、エレベータシステムの大量電力消費部分の電源を落とすように配置されかつ構成された制御システムを備える。本発明の例示的な実施例について以下に詳細に説明する。
【０００８】
図１を参照すると、エレベータ制御システム１００が示される。システム１００は、電源１０１、１０２を備えることができる。電源１０２は、システム１００に電力を提供するように構成された制御電源とすることができる。電源１０１は、複数のドアスイッチ１０９に電力を提供するように構成されたドアスイッチ電源とすることができる。ドアスイッチ１０９は、通信電源１０１と通信することができる。システム１００はさらに、ドアスイッチ１０９と通信するドアスイッチモニタ（ＤＳＲ）１１０を備える。ＤＳＲ１１０は、ドアスイッチ１０９の状態をモニタし、モニタされたドアスイッチの状態を示す出力信号を提供することができる。例えば、ドアスイッチが非アクティブ状態（例えば閉）にある場合、ＤＳＲ１１０は、ドアスイッチ閉ステータスを提供することができる。ドアスイッチがアクティブ状態（例えば開）にある場合、ＤＳＲ１１０は、ドアスイッチ開ステータスを提供することができる。各ドアスイッチ１０９は、ドア（例えば、昇降路アクセスドア、エレベータドア、その他）の機械的／物理的ステータスを検出するように配列されることができる。さらに各ドアスイッチ１０９は、ドアの物理状態を検出するようにドアと物理的に接触したままとなるように構成された、リミットスイッチまたは他の適切なスイッチとすることができる。
【０００９】
図１に戻ると、システム１００はさらに、電源１０２と通信する計算コア１４０を備える。計算コア１０４は、システム１００の部分のステータスをモニタしかつエレベータ制御作動を行う一組の命令を実行するように配置されかつ構成された、コンピュータプロセッサ、電子状態機械、マイクロコントローラ、または任意の他の適切なコントローラとすることができる。計算コア１０４は、Ｉ／Ｏバス１０５と通信することができ、Ｉ／Ｏバス１０５はさらに、複数の遠隔装置１０８と通信する。例えば、遠隔装置１０８は、エレベータシステムの状態を検出するように構成された、エレベータシステムのスイッチ、遠隔ステーション、または任意の他の部分とすることができる。例えば、図示されるように、遠隔装置１０８は、バス１０７を用いて制御電源１０２から電力供給される安全装置とすることができる。
【００１０】
システム１００はさらに、スイッチ１０９をモニタするように構成されかつ配置されたスリープモニタ１０３を備える。スリープモニタ１０３は、非常に少ない電力を消費しながら、システム１００の部分のステータスをモニタする一組の命令を実行するように配置されかつ構成された、コンピュータプロセッサ、電子状態機械、マイクロコントローラ、または任意の他の適切な制御装置とすることができる。
【００１１】
スリープモニタは、エレベータシステムによって消費される電力を激減させる、低電力モード、最小電力モード、または「スリープ」モードを確立するように構成される。
【００１２】
スリープモニタは、ＳＰＩバス１０６を介して計算コア１０４と通信することができ、または、計算コア１０４（例えば、低電力モードおよび通常電力モードを有するデュアルコアまたは二重目的コア）と組み合わせて実現されることができる。スイッチ１０９が所望または所定の長さの時間非アクティブ状態にある状況では、計算コアは、低電力スリープモードに入り、このスリープモードを示す信号をスリープモニタ１０３に伝達することができる。この信号に応答して、スリープモニタ１０３は、制御電源１０２およびＤＳＲ１１０にも低電力スリープモードに入るように命令することができる。例えば、スリープモニタ１０３は、電源１０２を電源遮断し、ＤＳＲ１１０への電力を遮断することができる。
【００１３】
低電力スリープモードの間、スリープモニタは、スイッチ１０９のステータスを検出するように構成されることができる。いずれかのスイッチ１０９の状態が変化すると、スリープモニタ１０３は、計算コア１０４にＣＰＵ１４０を通してアクティブとなるように命令することができるとともに、制御電源１０２に電力供給することができる。
【００１４】
上述のように、低電力スリープモードは、制御電源１０２、ＤＳＲ１１０、および計算コア１０４の電源を落とすことを含む。明らかなように、システム１００のこれらの部分の電源を落とした状態では、システム１００による電力使用量は、スリープモニタ１０３を通してシステム１００の遠隔部分（すなわちスイッチ１０９）との通信を依然として維持しながら、低減されることができる。以下では、図２、図３を参照して低電力スリープモードのより詳細な説明が記載される。
【００１５】
図２を参照すると、エレベータ制御システム２００が示される。システム２００は、スリープモニタ１０３、電源１０２、および計算コア１０４を備えることができる。システム２００はさらに、スリープモニタ１０３と通信する通信電源２０１を備えることができる。システム２００はさらに、電力バス２０２を介して電源２０１と通信する遠隔ステーション２０４を備えることができる。遠隔ステーション２０４はさらに、通信バス２０５を介して計算コア１０４およびスリープモニタ１０３と通信する。
【００１６】
通信コア１０４は、通信バス２０５を介してシリアル通信を可能にする通信部分１４１を備える。遠隔ステーション２０４は、計算コア１０４の通信部分１４１と通信するように構成された通信部分２０７を備える。例えば、通信部分１４１は、マスタ装置として構成されることができ、通信部分２０７は、スレーブ装置として構成されることができる。さらに、スリープモニタ１０３は、スリープモードにおけるマスタ装置となり、システム２００がアクティブの場合はスレーブ装置となるように構成された通信部分（図示せず）を備えることができる。
【００１７】
遠隔ステーション２０４はさらに、通信部分２０７と通信する複数の遠隔装置２６０、２７０を備える。例えば、遠隔装置２６０は、スリープモードにおいてアクティブのままとなることができる低電力装置とすることができる。遠隔装置２６０は、エレベータ要求装置（すなわち、エレベータを階床に呼ぶためのもの）、低電力表示器灯（例えば、エレベータが低電力スタンバイにあることを知らせるためのもの）、または他の適切な装置を含むことができる。さらに、装置２７０は、スリープモードにおいて電力遮断され得る本質的でない装置とすることができる。例えば、本質的でない装置は、照明装置を含むことができる。
【００１８】
上述のように、エレベータシステム２００が非アクティブ（すなわち、階床要求、ドア状態変化、その他などのない状態）にある所定または所望の長さの時間後に、計算コア１０４は、スリープモニタに低電力スリープモードに入るように命令することができる。これに応答して、スリープモニタ１０３は、制御電源１０２に電力遮断するように命令することができる。さらに、スリープモニタ１０３は、電源２０１に低電圧状態に入るように命令することができる。このような仕方で、電源２０１は、より少ない電力をシステム２００に提供する。電源２０１の低電圧状態下で通信を維持するために、低電圧状態に入るのに応答して、電源２０１は、通信装置２０７に本質的でない装置２７０への電力を遮断するように命令／要求する。通信装置は、この要求に応答して、通信装置２０７は、装置２６０をモニタするためにアクティブのままとなるように低電圧を用いることができる。例えば、通信装置２０７は、装置２６０およびスリープモニタ１０３と通信する状態にとどまるのに十分な電力を専ら消費することができる。
【００１９】
上述のように、低電力スリープモードにおいて、システム２００は、システム２００の本質的でない部分を全て電源遮断し、通信電力を低電圧状態に切り換える。システムの本質的でない部分が電源遮断され、通信はより低い電圧を消費するので、システム２００は、より少ない電力を消費しながら、スリープモニタ１０３によって遠隔装置のステータスを依然としてモニタすることができる。さらに、システム１００について上述したのと同様に、スリープモニタ１０３によってモニタされている装置の状態変化があった場合、スリープモニタは、計算コア１０４をアクティブにし、制御電源１０２を電源投入し、通信電源２０１のより高い電圧作動を可能とすることができる。その後、システム２００は、完全なアクティブ状態で作動する。
【００２０】
上述の説明に加えて、エレベータかご自体の制御部分も、低電力スリープモードにおいて低下されることができる。
【００２１】
図３を参照すると、エレベータ制御システム３００が示される。エレベータ制御システム３００は、通信電源２０１、制御電源１０２、スリープモニタ１０３、計算コア１０４、および通信ドライバ１４１を備えることができる。さらに、システム３００は、エレベータかご制御部分３０１を備えることができる。
【００２２】
エレベータかご制御部分３０１は、警報装置３０２、ドア作動装置３０３、および、計算コア１０４およびスリープモニタ１０３と通信する通信制御装置３０６を備えることができる。エレベータかご制御部分３０１はさらに、制御部分３０４と通信する装置３６０、３７０を備えることができる。例えば、装置３７０は、本質的でない装置とすることができる。装置３６０は、ドアスイッチ、ドア開要求ボタン（すなわち、乗客がかごの中にいるか検出するためのもの）、火災キーオーバーライドスイッチ、または任意の他の適切な装置などの本質的でない装置とすることができる。
【００２３】
上述のように、エレベータシステム３００が非アクティブ（すなわち、階床要求、ドア状態変化、その他などのない状態）にある所定または所望の長さの時間後に、計算コア１０４は、スリープモニタに低電力スリープモードに入るように命令することができる。これに応答して、スリープモニタ１０３は、制御電源１０２に電力遮断するように命令することができる。さらに、スリープモニタ１０３は、電源２０１に低電圧状態に入るように命令することができる。このような仕方で、電源２０１は、より少ない電力をシステム３００に提供する。電源２０１の低電圧状態下で通信を維持するために、低電圧状態に入るのに応答して、電源２０１は、エレベータかご制御部分３０１に本質的でない装置３７０への電力を遮断するように命令／要求する。制御部分３０１は、この要求に応答して、通信装置３０７に低電圧を用いるように命令するが、装置３６０をモニタするためにアクティブのままとなるように命令することができる。例えば、通信装置３０７は、装置３６０およびスリープモニタ１０３と通信する状態にとどまるのに十分な電力を専ら消費することができる。さらに、低電力スリープモードに入るのに応答して、制御部分３０１は、ドア作動制御装置３０３を電源遮断することができる。警報装置３０２は、アクティブのままとすることができ、または、任意の所望の具体化に依存して低電力スリープモードにおいて電源遮断されることができる。例えば、警報装置は、本質的でない装置３７０と通信することができる。本質的でない装置は、一旦エレベータかごがスリープモードから覚醒するとアクティブにされて使える準備が整う警報システム構成要素を備えることができる。従って、警報装置３０２は、スリープモードにおいて電源遮断されることができ得る。さらに、図示していないとはいえ、他の本質的でない装置も制御装置３０１と通信することができることは理解されたい。これらの他の装置は、エレベータかご照明、表示画面、ビデオモニタ、オーディオスピーカ／音楽システム、および他の本質的でない装置を含むことができる。
【００２４】
上述のように、低電力スリープモードにおいて、システム３００は、システム３００の本質的でない部分を全て電源遮断し、通信電力を低電圧状態に切り換える。システムの本質的でない部分が電源遮断され、通信はより低い電圧を消費するので、システム３００は、より少ない電力を消費しながら、スリープモニタ１０３によって遠隔装置のステータスを依然としてモニタすることができる。さらに、システム１００およびシステム２００について上述したのと同様に、スリープモニタ１０３によってモニタされている装置の状態変化があった場合、スリープモニタは、計算コア１０４をアクティブにし、制御電源１０２を電源投入し、通信電源２０１のより高い電圧作動を可能とすることができる。その後、システム３００は、完全なアクティブ状態で作動する。
【００２５】
上に記載したシステム１００〜３００を用いるエレベータ制御の低電力モードに加えて、例示的な実施例は、エレベータシステムのスタンバイ／スリープ作動において送電線網電力から比較的最小の電力消費を可能とする回生電力システムを備えることができる極端な低電力モードを提供することができる。
【００２６】
図４を参照すると、エレベータ制御システム４００が示される。図示のように、システム４００は、制御部分４２０および駆動装置４０４と通信する過電流回路ブレーカ（ｏｖｅｒｃｕｒｒｅｎｔ  ｃｉｒｃｕｉｔ  ｂｒｅａｋｅｒ）（ＯＣＢ）４０１を備える。駆動装置４０４は、例えばかご電子機器３０１を備えることができるエレベータかごを機械的に移動させるように構成されたエレベータ駆動装置とすることができる。
【００２７】
駆動装置４０４は、モータ４０５、ブレーキ４０６、充電回路４０７、および制御部分４２０と通信することができる。モータ４０５は、エレベータかごに機械的に連結され、あるいは別な方法で取り付けられることができる。駆動装置４０４によって提供される制御電力に応答して、モータは、一般に２つの方向（例えば、上下）にエレベータかごを移動させることができる。ブレーキ４０６は、駆動装置４０４から受け取った制御信号に応答してエレベータかごを減速または停止させるように構成される。
【００２８】
充電制御回路４０７は、モータ４０５で生成された回生電力を充電媒体４１０を介してバッテリ４０９に向けなおすように構成された回路とすることができる。例えば、かごを（例えば下方に）移動させるのに必要な力を重力が手助けする方向にエレベータかごが移動している場合、モータ４０５は、電力供給されないことがあり、従って、電力を生成することがある。従って、充電制御回路４０７は、この電気エネルギーをバッテリ４０９を充電するように向けなおすことができる。向けなおされたエネルギーは、直流または交流とすることができる。直流の場合、バッテリ４０９は、比較的直接に充電されることができる。交流の場合、エネルギーは、バッテリ４０９を充電するのに整流されることができる。さらに、バッテリ４０９、回路４９７、および／または充電媒体４１０は、サージ抑制回路、整流回路、電圧調整回路、またはバッテリ４０９の効率的でかつ安全な充電を可能とする任意の他の適切な回路を備えることができる。さらに、バッテリ４０９は、スリープモニタ１０３と通信することができ、スリープモニタ１０３はさらに、制御部分４２０と通信する。
【００２９】
制御部分４２０は、スイッチモード電源（ｓｗｉｔｃｈｅｄ  ｍｏｄｅ  ｐｏｗｅｒ  ｓｕｐｐｌｙ）（ＳＭＰＳ）４０２および救出制御部分４０８を備える。ＳＭＰＳ４０２は、線形電源に比較して全体の効率を増加させるスイッチングシステムを含む電源とすることができる。任意の適切なＳＭＰＳが、ＳＭＰＳ４０２を実施するのに使用可能である。ＳＭＰＳ４０２は、ノイズを制限または抑制するために電気フィルタを組み込むことができ、あるいは、電気ノイズが明らかでない場合、これらのフィルタを省くことができる。救出制御部分４０８は、手動または自動救出作動の要求を確立するために計算コア１０４と通信するように構成されたプロセッサまたは装置とすることができる。この要求に応答して、計算コア１０４は、エレベータ制御システム４００を「スリープ」または低電力状態から完全作動救出状態へと切り換えることができる。低電力状態は、スリープモニタ１０３によって容易になされることができ、スリープモニタ１０３は、ブレーカ４１１によって救出部分４０８と切断可能に通信する。バッテリ４０９もブレーカ４１１によって救出部分４０８と切断可能に通信する。従って、救出部分４０８は、バッテリ４０９からの電力を共有し、それによって、そうでなければ冗長となるバッテリのスリープモードおよび救出電力両方のための使用を低減することができる。
【００３０】
低電力状態については、スリープモニタ１０３は、スリープモードまたは低電力モードにある時、バッテリ４０９によって直接電力供給されるので、電力送電線網から消費される電力は、最小であるか、あるいは全くないことを理解されたい。さらに、バッテリ４０９は、回生電力を用いて充電されるので、バッテリ４０９を充電するために電力送電線網から消費される電力は最小になる。例えば、従来のエレベータは一般に一日に階床間を数回移動するので、比較的大量の回生電力が毎日生成される。従って、そうでなければ無駄になっていた回生エネルギーは、スリープモニタ１０３によって使用するために向けなおすことができ、これはバッテリ４０９によって容易になされる。
【００３１】
さらに、エレベータの毎日の使用に応じて、バッテリ４０９は、電気送電線網からの電力を全く使用せずにスリープモニタ１０３への電力を維持するのに充分な回生エネルギーを貯蔵することができる。この自立スリープモード作動はさらに、効率的なバッテリ、例えば、リチウムポリマーまたはリン酸リチウムバッテリの使用によって容易になされる。適切なバッテリの１つは、リン酸リチウム鉄から形成されることができ、これは、比較的長寿命、大きい数の負荷サイクル、高い割合の容量使用量、限定されあるいは危険のない材料を有しており、他のリチウム技術より膨張性でない。しかしながら、十分な容量を有する任意のバッテリが、任意の所望の用途に応じて同様に適用可能であり得ることに留意されたい。
【００３２】
システム１００〜４００は、別々に説明したが、任意のこれらのシステムの一部または全体の任意の組み合わせが、本発明の実施において適用可能であることに留意されたい。例えば、低電力モード、バッテリ電力供給スリープモード、モニタスリープシステム、およびまたは他の特徴が、上に詳細に説明した任意の構成要素を含めることによって、一緒にまたは別々に実施されることができる。
【００３３】
従って、上述のように、また、例示的な実施例に従って、複数のエレベータ遠隔ステーションとの通信を維持しながら電力を大事に使うとともに、従来のシステムに比較して大幅に増大した効率を提供するエレベータ制御システムが提供される。例示的な実施例は、エレベータシステムの安全を保証する重要な構成要素を維持しながら、低電力モードの際に電力供給されるエレベータ制御システム部分の全体の数を低減する。例えば、重要な部分／制御装置は、エレベータ要求（すなわち、階床要求）を検出するためのセンサ／スイッチ、警報部分、許可されていないアクセス検出、および／または、システムおよび乗客を安全に維持するための他の重要なシステムを備えることができる。例示的な実施例の技術的な効果および利点には、エレベータ制御システムによる電力使用量の低減が含まれる。
【００３４】
上述のシステム１００〜４００に加えて、これらのエレベータ制御システムの制御方法も以下に与えられる。
【００３５】
図５を参照すると、エレベータ制御システムの制御方法が示される。方法５００は、通常のエレベータ作動とスリープモードの間の同期、どのようにしてエレベータ制御システムがスリープモードに入るか、および、どのようにしてエレベータ制御システムがスリープモードから通常のエレベータ制御へと移行するか、について図示される。
【００３６】
方法５００は、エレベータ制御方法５０１およびスリープモニタ制御方法５０２を含み、これら両方は、図示のように方向付けられた線によって示されるように同期して作動する。
【００３７】
方法５０１は、ブロック５０３においてエレベータアプリケーションを開始することを含む。エレベータアプリケーションを開始することは、エレベータシステム間の通信を行い、何らかの外部の要求（すなわち、階床要求、スリープ要求、その他）をモニタすることを含むことができる。方法５０１はさらに、ブロック５０５においてスリープ要求に応答してスタンバイモードを開始することを含む。スタンバイモードは、非常に低いかまたは最も低い可能な電力消費量で、かつ大部分または全ての重要でない構成要素のスイッチをオフにした、エレベータ制御システムの状態である。スリープ要求は、エレベータ制御システムそれ自体によって開始されるものであり、遠隔サービス呼び、サービス用途によって、またはスリープモードがエレベータ制御システムの現在の状態に適用可能であるかを判断する任意の他の適切なプロセスによって、エレベータシステムが使用されないままとなっている所定または所望の長さの時間から導き出されることができる。スタンバイモードを開始することは、照明を消し、重要でないエレベータシステムの電源を落とし、エレベータかごおよびエレベータ制御システムがスタンバイモードにあることを示すことを含むことができる。この表示に応答して、方法５０１は、ブロック５０７においてスリープ命令を出すことを含む。スリープ命令を出すことは、上述のようにエレベータ通信システムおよび制御システムを停止または中止し、スリープ命令をスリープモニタに伝達することを含むことができる。このように、エレベータ制御システムの大部分が電源遮断されることで、スリープモードは、電力消費量を劇的に低減する。
【００３８】
方法５０１はさらに、ブロック５０９においてスリープモニタ準備伝達（例えば、スリープモニタから伝達される）に応答してスリープモニタステータスを要求することを含む。例えば、エレベータシステムがアクティブにスリープモードにあることをスリープモニタが示すことに応答して、方法５０１は継続的にスリープモニタからの「覚醒」または回復信号をモニタしまたは待つ。
【００３９】
さらに電力遮断要求がブロック５１１において受け取られることができ、そこでは、受け取りに応答して、方法５０１は、エレベータ制御システムを電力遮断することを開始し、スリープモードに入ることができる。
【００４０】
方法５０１はさらに、ブロック５１５において電力供給要求を受け取ることを含む。その後、またはこの要求に応答して、方法５０１は、ブロック５１７において通信を初期化し、ブロック５１９においてシステムステータスを回復し、ブロック５０３においてエレベータアプリケーションを開始することを含むことができる。
【００４１】
ブロック５１５は、システムがスリープモードまたはスタンバイモードにある時に開始および／または実行されることができる。より明確には、ブロック５０９において、エレベータ制御システムは、スリープモニタのステータスを要求する。ブロック５１５は、エレベータ制御システムがスリープモニタから電力遮断要求を受け取った後、および／またはブロック５０９から出された要求に基づくスリープモニタからの情報を受け取り次第すぐに実行されることができる。受け取った情報は、電力供給要求がブロック５２５からブロック５１７に伝達された理由、例えば、乗場呼びボタンが押されたことまたはリミットスイッチが起動されたことの表示を含むことができる。
【００４２】
さらに、ブロック５１５は、エレベータ制御システムが電力遮断されるのを待ちながら実行されることができる。いくつかの状況では、エレベータ制御は、スリープモード移行を開始し、エレベータをスタンバイに設定していることができ、スリープモニタは、スリープモード準備を開始している（ブロック５２５）。計算コアが（例えば、制御電子機器のための残存電力により）依然として作動しており、スリープモニタが作動している、比較的短い長さの期間があり得る。そのような期間に、乗客が乗場ボタンを押すことによりエレベータを呼んだり、または何らかの他のできごとが電力供給または覚醒要求を起動した場合、スリープモニタは、覚醒ブロック５２７を実行し、電力遮断−電力供給サイクルなしに、エレベータ制御システムを再びアクティブにすることになる。
【００４３】
スリープモニタ制御については、方法５０２が、スリープモニタ１０３によって実施される作動を確立する。方法５０２は、スリープ命令が受け取られるまで、ブロック５２１においてスリープモニタアイドル状態を維持することを含む。スリープ命令に応答して、方法５０２は、ブロック５２３においてスリープモードの準備をすることを含む。スリープモードの準備は、システム１００〜４００について上述したようにエレベータシステムを電力遮断し、スリープモニタ準備命令を伝達することを含む。その後、方法５０２は、ブロック５２５において重要なエレベータシステム構成要素をモニタすることを含む。重要な構成要素がアクティブにされまたは妨害された場合、方法５０２は、ブロック５２７において覚醒状態を確立し、システムを覚醒させる。例えば、システムを覚醒させることは、ブロック５２９においてエレベータシステム通信に電力供給し、スリープモニタ覚醒ステータスを伝達することを含む。その後、方法５０２は、ブロック５２１において、スリープモニタアイドルステータスを維持することを含む。
【００４４】
上述のように、例示的な実施例の制御方法は、従来のエレベータ制御システム構成要素と新規なスリープモニタプロセッサの間の同期を行う。スリープモニタプロセッサは、制御方法５０１を模擬するコンピュータ実行可能命令を実行するように構成されており、エレベータ制御システムの計算コアは、制御方法５０１を容易にする付加的なコンピュータ実行可能命令を備えており、同時に適切なエレベータ作動を容易にする他の命令の実行も行う。
【００４５】
本願で使用される用語は、特定の実施例を記載する目的のみのためであって、本発明を限定することは意図していない。本発明の説明は、例示および説明の目的で提示したが、開示された形態での本発明に限定されまたは網羅的となることは意図していない。本明細書に記載されていない多くの変更物、変形物、改変物、置換物または均等構成が、本発明の範囲および趣旨から逸脱せずに当業者には明らかとなるであろう。さらに、本発明のさまざまな実施例を説明してきたとはいえ、本発明の態様が開示の実施例の一部のみを含み得ることを理解されたい。従って、本発明は、上述の説明によって限定されるものとして見なされるべきではなく、添付の特許請求の範囲によってのみ限定される。
【図１】
2014501213.tif 000003
【図２】
2014501213.tif 000004
【図３】
2014501213.tif 000005
【図４】
2014501213.tif 000006
【図５】
2014501213.tif 000007
【国際調査報告】
2014501213.tif 000008
2014501213.tif 000009